【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
溶融加工可能な熱可塑性組成物であって、
第１のＦｅｄｏｒの溶解度パラメータと第１の粘度とを有する第１の溶融加工可能な熱可塑性ポリマーを含む主要部分のベースポリマー；および
キャリヤーポリマーと表面改質添加剤との組合せ
を含み、キャリヤーポリマーは、第１の溶解度パラメータより少なくとも約２．５（Ｊ／ｃｍ^3）^1/2低い第２の溶解度パラメータと第２の粘度とを有する第２の溶融加工可能な熱可塑性ポリマーを含み、キャリヤーポリマーは表面改質添加剤に付着しており、第１の粘度は、第２の粘度の少なくとも約２５倍である組成物。
【請求項２】
第１の表面と第２の表面とを有する部品であって、部品は、第１のＦｅｄｏｒの溶解度パラメータと第１の粘度とを有する第１の溶融加工可能な熱可塑性ポリマーを含む主要部分のベースポリマーを含み、第１の表面および第２の表面は、キャリヤーポリマーと表面改質添加剤との組合せを含み、キャリヤーポリマーは、第１の溶解度パラメータより少なくとも約２．５（Ｊ／ｃｍ^3）^1/2低い第２の溶解度パラメータと第２の粘度とを有する第２の溶融加工可能な熱可塑性ポリマーを含み、キャリヤーポリマーは表面改質添加剤に付着しており、第１の粘度は、第２の粘度の少なくとも約２５倍である部品。
【請求項３】
改良された表面特性を有する部品を作製する方法であって、
キャリヤーポリマーと表面改質添加剤との組合せを生成するステップであって、キャリヤーポリマーは、第１の溶解度パラメータより少なくとも約２．５（Ｊ／ｃｍ^3）^1/2低い第２の溶解度パラメータと第２の粘度とを有する第２の溶融加工可能な熱可塑性ポリマーを含み、キャリヤーポリマーは表面改質添加剤に付着しているステップと、
第１のＦｅｄｏｒの溶解度パラメータと第１の粘度とを有する第１の溶融加工可能な熱可塑性ポリマーを含む主要部分のベースポリマー、および前ステップで生成されたキャリヤーポリマーと表面改質添加剤との組合せを加工して、改良された表面特性を有する部品を形成するステップであって、第１の粘度は、第２の粘度の少なくとも約２５倍、より典型的には第２の粘度の少なくとも約３０から約５０倍、さらにより典型的には第２の粘度の少なくとも約１００倍であるステップと、
を含む方法。
【手続補正２】
【補正対象書類名】明細書
【補正対象項目名】００５１
【補正方法】変更
【補正の内容】
【００５１】
これらの試料のＤＰＲは対照試料より高いものと予想される。
なお、本発明は、特許請求の範囲を含め、以下の発明を包含する。
１．溶融加工可能な熱可塑性組成物であって、
第１のＦｅｄｏｒの溶解度パラメータと第１の粘度とを有する第１の溶融加工可能な熱可塑性ポリマーを含む主要部分のベースポリマー；および
キャリヤーポリマーと表面改質添加剤との組合せ
を含み、キャリヤーポリマーは、第１の溶解度パラメータより少なくとも約２．５（Ｊ／ｃｍ^3）^1/2低い第２の溶解度パラメータと第２の粘度とを有する第２の溶融加工可能な熱可塑性ポリマーを含み、キャリヤーポリマーは表面改質添加剤に付着しており、第１の粘度は、第２の粘度の少なくとも約２５倍である組成物。
２．第１の粘度が、第２の粘度の少なくとも約３０から約５０倍である、１に記載の組成物。
３．第１の粘度が、第２の粘度の少なくとも約１００倍である、１に記載の組成物。
４．キャリヤーポリマーと表面改質添加剤との組合せが、マスターバッチプロセスで作製される、１に記載の組成物。
５．キャリヤーポリマーと表面改質添加剤との組合せが、被覆ポリマーである、１に記載の組成物。
６．被覆ポリマーが、ポリマーおよび液体コーティングを含む、１に記載の組成物。
７．被覆ポリマーが、ポリマーおよび固体コーティングを含む、１に記載の組成物。
８．キャリヤーポリマーと表面改質添加剤との組合せが、物理的ブレンドである、１に記載の組成物。
９．表面改質添加剤が、ナノサイズまたは顔料サイズの無機粒子で処理された、直径約１５マイクロメートルまでのサイズの粒子である、１に記載の組成物。
１０．ベースポリマーが、０．０１から２００ｇ／１０分のメルトインデックス値を有する、１に記載の組成物。
１１．ベースポリマーが、オレフィン；エチレンと４から１０個の炭素原子を含む高級オレフィンとのコポリマー；エチレンと酢酸ビニルとのコポリマー；ビニル；ポリビニルエステル；ポリスチレン；ポリスチレンを含むアクリルホモポリマー、コポリマー、およびターポリマー、アクリロニトリルブタジエンスチレンターポリマー（ＡＢＳ）；アクリル／スチレン／アクリルポリマー；ポリアミド；フェノール；エラストマー添加剤を含有するポリオレフィン；アルキド；アミノ樹脂；エポキシ樹脂；ポリアミド；ポリウレタン；フェノキシ樹脂；ポリスルホン；ポリカーボネート；ポリスルホン；ポリエステル；塩素化ポリエステル；ポリエーテル；アセタール樹脂；ポリイミド；ポリオキシエチレン、およびそれらの混合物からなる群から選択される、１に記載の組成物。
１２．ベースポリマーが、ポリメチルメタクリレート（ＰＭＭＡ）、ポリオレフィン、ポリ塩化ビニル、ポリアミド、アクリロニトリルブタジエンスチレンターポリマー（ＡＢＳ）、アクリル／スチレン／アクリルポリマー、ポリイミド、ポリエステル、エラストマー添加剤を含有するポリオレフィン、およびそれらの混合物からなる群から選択される、１１に記載の組成物。
１３．ベースポリマーがポリ塩化ビニルである、１１に記載の組成物。
１４．ベースポリマーが、溶融加工可能な熱可塑性組成物の全重量を基準にして約８０から約９９．９５重量％の量で存在する、１に記載の組成物。
１５．キャリヤーポリマーが、第２の溶融加工可能な熱可塑性ポリマーを含む、１に記載の組成物。
１６．第２の溶融加工可能な熱可塑性ポリマーが、第１の溶解度パラメータより少なくとも約３（Ｊ／ｃｍ3）1/2低い第２の溶解度パラメータを有する、１５に記載の組成物。
１７．キャリヤーポリマーが、エチレン−酢酸ビニルコポリマー；アクリレートコポリマー；ポリエチレン；ポリプロピレンおよびそのコポリマー；ならびにテトラフルオロエチレンのホモポリマーおよびコポリマーからなる群から選択される、１に記載の組成物。
１８．キャリヤーポリマーが、組合せの全重量を基準にして約０．０５から約２０重量％の量で存在する、１に記載の組成物。
１９．表面改質添加剤が固体である、１に記載の組成物。
２０．表面改質添加剤が液体である、１に記載の組成物。
２１．固体が、シリケート；金属酸化物；炭酸カルシウム；硫酸バリウム；金属元素粉末；シリカ、およびそれらの混合物からなる群から選択される、１９に記載の組成物。
２２．金属酸化物が、チタン、マグネシウム、カルシウム、バリウム、ストロンチウム、亜鉛、スズ、ニッケル、ケイ素、および鉄の酸化物、セレン、タングステン、ルテニウム、スズ、タンタル、銀、イリジウム、モリブデン、ニオブ、インジウム、カドミウム、ハフニウム、ジルコニウム、マンガン、銅（Ｉ）、バナジウム、クロム（ＶＩ）、イットリウム、およびゲルマニウムの酸化物、ヒュームドシリカ、ならびにアルミノシリケートおよびＴｉxＺｒ1-xＯ2（式中、ｘは０から１の間である）を含む混合酸化物からなる群から選択される、２１に記載の組成物。
２３．表面改質添加剤が、顔料サイズまたはナノサイズの粒子である、１に記載の組成物。
２４．表面改質添加剤が、ナノサイズ粒子で処理された顔料粒子である、１に記載の組成物。
２５．表面改質添加剤が、オルガノシラン；オルガノシロキサン；フルオロシラン；オルガノホスホネート；オルガノリン酸；オルガノスルホン酸化合物；炭化水素系カルボン酸ならびに関連する誘導体およびポリマー；炭化水素系アミド；低分子量炭化水素ワックス；低分子量ポリオレフィンおよびそのコポリマー；炭化水素系ポリオールおよびその誘導体；アルカノールアミンおよびその誘導体；およびよく利用される有機分散剤；ならびにそれらの混合物からなる群から選択される有機表面処理剤で処理される、１に記載の組成物。
２６．表面改質添加剤が、炭酸塩、硫酸塩、チタン酸塩、ヒ化物、硫化物、セレン化物、リン化物、およびそれらの２つ以上の組合せからなる群から選択される、１に記載の組成物。
２７．表面改質添加剤が、無機顔料、有機有色顔料、およびそれらの混合物からなる群から選択される、１に記載の組成物。
２８．表面改質添加剤が殺生物剤である、１に記載の組成物。
２９．表面改質添加剤が、フルオロケミカル、レシチン、およびそれらの混合物からなる群から選択される、１に記載の組成物。
３０．フルオロケミカルが、パーフルオロアルキルエステル、フッ素化ウレタン、フッ素化アクリルまたはメタクリルコポリマー、フッ素化アニオン性界面活性剤、フッ素化スルホンアミド、およびフッ素化ジオールからなる群から選択される、１に記載の組成物。
３１．表面改質添加剤が、カーボンブラックまたはカリウムアイオノマーである、１に記載の組成物。
３２．表面改質添加剤が、組合せの全重量を基準にして約０．０５から約２０重量％の量で存在してもよい、１に記載の組成物。
３３．第１の表面と第２の表面とを有する部品であって、部品は、第１のＦｅｄｏｒの溶解度パラメータと第１の粘度とを有する第１の溶融加工可能な熱可塑性ポリマーを含む主要部分のベースポリマーを含み、第１の表面および第２の表面は、キャリヤーポリマーと表面改質添加剤との組合せを含み、キャリヤーポリマーは、第１の溶解度パラメータより少なくとも約２．５（Ｊ／ｃｍ^3）^1/2低い第２の溶解度パラメータと第２の粘度とを有する第２の溶融加工可能な熱可塑性ポリマーを含み、キャリヤーポリマーは表面改質添加剤に付着しており、第１の粘度は、第２の粘度の少なくとも約２５倍である部品。
３４．部品が基板である、３３に記載の部品。
３５．第１の粘度が、第２の粘度の少なくとも約３０から約５０倍である、３３に記載の部品。
３６．第２の溶融加工可能な熱可塑性ポリマーが、第１の溶解度パラメータより少なくとも約３（Ｊ／ｃｍ3）1/2低い第２の溶解度パラメータを有する、３３に記載の部品。
３７．改良された表面特性を有する部品を作製する方法であって、
キャリヤーポリマーと表面改質添加剤との組合せを生成するステップであって、キャリヤーポリマーは、第１の溶解度パラメータより少なくとも約２．５（Ｊ／ｃｍ^3）^1/2低い第２の溶解度パラメータと第２の粘度とを有する第２の溶融加工可能な熱可塑性ポリマーを含み、キャリヤーポリマーは表面改質添加剤に付着しているステップと、
第１のＦｅｄｏｒの溶解度パラメータと第１の粘度とを有する第１の溶融加工可能な熱可塑性ポリマーを含む主要部分のベースポリマー、および前ステップで生成されたキャリヤーポリマーと表面改質添加剤との組合せを加工して、改良された表面特性を有する部品を形成するステップであって、第１の粘度は、第２の粘度の少なくとも約２５倍、より典型的には第２の粘度の少なくとも約３０から約５０倍、さらにより典型的には第２の粘度の少なくとも約１００倍であるステップと、
を含む方法。
３８．加工が押出成形を含む、３７に記載の部品を作製する方法。
３９．加工が射出成形を含む、３７に記載の部品を作製する方法。